(57)【特許請求の範囲】
【請求項１】
操作部と、操作部の先部に連結された挿入部と、操作部の基部に連結されたライトガイドケーブルと、操作部内に設けられた送気送水用シリンダと、操作部内に設けられた吸引用シリンダと、操作部内において前記送気送水用シリンダから挿入部側に延在する送気管路及び送水管路と、操作部内において前記吸引用シリンダから挿入部側に延在する吸引管路と、ライトガイドケーブル内を延在し前記送気送水用シリンダに連結される送気管及び送水管と、ライトガイドケーブル内を延在し前記吸引用シリンダに連結される吸引管とを備え、前記吸引管の管径は前記送気管の管径及び前記送水管の管径より大きく、前記送気管路及び送水管路並びに吸引管路は操作部内において合流して単一の合流管とされ、この合流管が挿入部中を延在する内視鏡の洗浄用アダプタであって、
前記送気管及び送水管の口金部に着脱可能に取付けられる筒状に所定の長さ延在する筒状部材と、前記筒状部材の延在方向の中間部から突設された可撓性チューブとを備え、
前記筒状部材の内部通路により、洗浄液供給手段に連結される第１洗浄液供給路と、前記ライトガイドケーブルの端部に設けられた前記送気管及び送水管の前記口金部と前記第１洗浄液供給路を接続する第２洗浄液供給路とが形成されており、前記可撓性チューブの内部により、前記ライトガイドケーブルの端部に設けられた前記吸引管の口金部と第１洗浄液供給路を接続する第３洗浄液供給路が形成されており、
前記内部通路は、前記筒状部材の延在方向に直線上に形成され、これにより前記第１洗浄液供給路と第２洗浄液供給路が同一直線上に形成されており、前記筒状部材が延在する方向で第２洗浄液供給路が開口する側の端部は、前記ライトガイドケーブルの端部に設けられた前記送気管及び送水管の口金部に着脱可能に結合されるようにしてあり、
前記筒状部材の端部には、前記洗浄液供給手段に係合するための係合部が形成されており、該係合部に係合した前記洗浄液供給手段から洗浄液が流出する方向と、前記第１洗浄液供給路及び前記第２洗浄液供給路とは同一直線上にあり、前記第３洗浄液供給路は前記第１洗浄液供給路から枝分かれしている、
ことを特徴とする内視鏡洗浄用アダプタ。
【請求項２】
前記内部通路は、前記筒状部材の断面のほぼ中心を通って形成されている請求項１記載の内視鏡洗浄用アダプタ。
【請求項３】
前記筒状部材は金属製である請求項１記載の内視鏡洗浄用アダプタ。
【発明の詳細な説明】
【０００１】
【発明の属する技術分野】
本発明は体腔内の検査や治療などに使用される内視鏡を洗浄するアダプタに関する。
【０００２】
【従来の技術】
内視鏡は、操作部と、挿入部と、操作部内に設けられた送気送水用シリンダと、操作部内に設けられた吸引用シリンダと、操作部内において前記送気送水用シリンダから挿入部側に延在する送気管路及び送水管路と、操作部内において前記吸引用シリンダから挿入部側に延在する吸引管路などを備える。
操作部にはライトガイドケーブルが連結され、ライトガイドケーブルには、操作部から挿入部に延設される光ファイバが収納され、また、前記送気送水用シリンダに連結される送気管及び送水管が収納され、更に、前記吸引用シリンダに連結される吸引管が収納されている。
このような内視鏡が体腔内の検査や治療などに使用された後は、体腔内に挿入される挿入部の外表面だけではなく、挿入部や操作部の内部に組み込まれた管路やライトガイドケーブル内の管類、特に、吸引管路と吸引用シリンダ、吸引管内に汚物が付着するため、これら管類やシリンダも洗浄及び消毒する必要がある。
【０００３】
内視鏡の洗浄及び消毒は、一般に、ライトガイドケーブルの端部において、送気管、送水管、吸引管に洗浄液(本発明において洗浄液とは消毒液を含む)を挿入部の先端に向けて流すことで行われている。
一方、内視鏡には種々の種類があり、送気管路及び送水管路並びに吸引管路が操作部内において合流して単一の合流管とされ、この合流管が挿入部中を延在するものもある。
【０００４】
【発明が解決しようとする課題】
この種の内視鏡では、洗浄時、送気管や送水管、あるいは吸引管から洗浄液を挿入部の先端に向けて流した場合、合流箇所からライトガイドケーブルの端部に、すなわち、洗浄の際の手元側に洗浄液が逆流し溢れ出ることになり、洗浄がしにくい不具合があった。
また、吸引管から洗浄液を流した場合、合流箇所から洗浄液が逆流し、吸引管や吸引用シリンダ、吸引管内の汚物が、汚物が通らない送気管や送水管内に侵入することになり好ましくない。
本発明は前記事情に鑑み案出されたものであって、本発明の目的は、洗浄の際に、手元側に洗浄液や消毒液が逆流して溢れ出ることがなく、洗浄が簡単に行なえ、また、吸引管や吸引用シリンダ、吸引管路内の汚物を、汚物が通らない送気管や送水管内に侵入することがないようにした内視鏡洗浄用アダプタを提供することにある。
【０００５】
【課題を解決するための手段】
前記目的を達成するため本発明の内視鏡洗浄用アダプタは、操作部と、操作部の先部に連結された挿入部と、操作部の基部に連結されたライトガイドケーブルと、操作部内に設けられた送気送水用シリンダと、操作部内に設けられた吸引用シリンダと、操作部内において前記送気送水用シリンダから挿入部側に延在する送気管路及び送水管路と、操作部内において前記吸引用シリンダから挿入部側に延在する吸引管路と、ライトガイドケーブル内を延在し前記送気送水用シリンダに連結される送気管及び送水管と、ライトガイドケーブル内を延在し前記吸引用シリンダに連結される吸引管とを備え、前記吸引管の管径は前記送気管の管径及び前記送水管の管径より大きく、前記送気管路及び送水管路並びに吸引管路は操作部内において合流して単一の合流管とされ、この合流管が挿入部中を延在する内視鏡の洗浄用アダプタであって、前記送気管及び送水管の口金部に着脱可能に取付けられる筒状に所定の長さ延在する筒状部材と、前記筒状部材の延在方向の中間部から突設された可撓性チューブとを備え、前記筒状部材の内部通路により、洗浄液供給手段に連結される第１洗浄液供給路と、前記ライトガイドケーブルの端部に設けられた前記送気管及び送水管の前記口金部と前記第１洗浄液供給路を接続する第２洗浄液供給路とが形成されており、前記可撓性チューブの内部により、前記ライトガイドケーブルの端部に設けられた前記吸引管の口金部と第１洗浄液供給路を接続する第３洗浄液供給路が形成されており、前記内部通路は、前記筒状部材の延在方向に直線上に形成され、これにより前記第１洗浄液供給路と第２洗浄液供給路が同一直線上に形成されており、前記筒状部材が延在する方向で第２洗浄液供給路が開口する側の端部は、前記ライトガイドケーブルの端部に設けられた前記送気管及び送水管の口金部に着脱可能に結合されるようにしてあり、前記筒状部材の端部には、前記洗浄液供給手段に係合するための係合部が形成されており、該係合部に係合した前記洗浄液供給手段から洗浄液が流出する方向と、前記第１洗浄液供給路及び前記第２洗浄液供給路とは同一直線上にあり、前記第３洗浄液供給路は前記第１洗浄液供給路から枝分かれしていることを特徴とする。
また、本発明は、前記内部通路が前記筒状部材の断面のほぼ中心を通って形成されていることを特徴とする。
また、本発明は、前記筒状部材が金属製であることを特徴とする。
【０００６】
本発明の内視鏡洗浄用アダプタを用いれば、ライトガイドケーブルの端部において、送気管及び送水管並びに吸引管に同時に洗浄液が供給されるので、操作部内において送気管路及び送水管路並びに吸引管路が合流していても、該合流箇所から洗浄液が逆流することはない。
【０００７】
【発明の実施の形態】
次に本発明の実施の形態について説明する。
図１は内視鏡洗浄時における内視鏡洗浄用アダプタ及び内視鏡の概略断面図を示す。
内視鏡２は、操作部４と、挿入部６と、ライトガイドケーブル８などを備えている。
前記挿入部６は可撓管から構成され、操作部４の先部に連結されている。
前記操作部４には鉗子挿入口１０が設けられ、また、送気送水用シリンダ１２及び吸引用シリンダ１４が設けられている。
前記鉗子挿入口１０からは挿入部６に向けて鉗子挿入管路１６が延設され、前記送気送水用シリンダ１２からは挿入部６に向けて送気管路１８及び送水管路２０が延設され、前記吸引用シリンダ１４からは挿入部６に向けて吸引管路２２が延設されている。
前記操作部４において吸引管路２２と鉗子挿入管路１６は合流箇所２４を介して合流し、合流管２６となり、また、送気管路１８と送水管路２０は合流箇所２８を介して合流管３０となり、これら合流管２６、３０が操作部４内において合流箇所３２を介して合流し、単一の合流管３４となり、この合流管３４が挿入部６中をその先端まで延在している。
【０００８】
前記ライトガイドケーブル８は操作部４の基部に連結され、ライトガイドケーブル８内には光ファイバ(不図示)が延設され、この光ファイバは操作部４を通り挿入部６の先端まで延在し、ライトガイドケーブル８の端部にはコネクタ部３６が設けられている。
また、ライトガイドケーブル８内には送気管４２、送水管４４、吸引管４６が延設され、送気管４２と送水管４４は前記送気送水用シリンダ１２に連結され、吸引管４６は前記吸引用シリンダ１４に連結されている。
前記ライトガイドケーブル８の端部には、送気管４２及び送水管４４への接続用の送気送水口金５２(特許請求の範囲の送気管及び送水管の口金部に相当)が突設され、また、吸引管４６への接続用の吸引口金５４(特許請求の範囲の吸引管の口金部に相当)が突設されている。
なお、内視鏡２の使用時に、鉗子挿入口１０から鉗子が挿入され、前記送気送水用シリンダ１２に送気送水切り換え弁が配設され、吸引用シリンダ１４には開閉弁が配設されるが、洗浄時には図１に示すように、鉗子挿入口１０には鉗子栓４８が装着され、送気送水用シリンダ１２と吸引用シリンダ１４にはシリンダ栓５０が装着され、鉗子挿入口１０と各シリンダ１２，１４の開口部が閉塞されている。
【０００９】
本実施の形態に係る内視鏡洗浄用アダプタ６０は、上記のように操作部４の内部で送気管路１８と送水管路２０と吸引管路２２が合流する形式の内視鏡２を洗浄するもので、シリンジ６２などの洗浄液供給手段に連結される第１洗浄液供給路６４と、前記送気送水口金５２と前記第１洗浄液供給路６４を接続する第２洗浄液供給路６６と、前記吸引口金５４と第１洗浄液供給路６４を接続する第３洗浄液供給路６８とを備える。
【００１０】
より具体的には、図２に示すように、内視鏡洗浄用アダプタ６０は、筒状に所定の長さ延在する筒状部材７０と、筒状部材７０の延在方向の中間部から突設された可撓性チューブ７２とを備え、前記筒状部材７０は金属製であり、その耐久性に優れている。
前記筒状部材７０は、その断面のほぼ中心を通って筒状部材７０の延在方向に直線上に延在する内部通路を備え、この内部通路により前記第１洗浄液供給路６４と第２洗浄液供給路６６が同一直線上に形成されている。
前記可撓性チューブ７２はニップル７２０２を介して筒状部材７０に取着され、前記可撓性チューブ７２の内部は前記筒状部材７０の内部通路に連通しており、可撓性チューブ７２の内部により前記第３洗浄液供給路６８が形成されている。
図２から明らかなように、第３洗浄液供給路６８は第１洗浄液供給路６４から枝分かれしている。
前記筒状部材７０が延在する方向で第２洗浄液供給路６６が開口する側の端部に、前記コネクタ部３６の送気送水口金５２に係合するための口金用係合部７４が形成され、筒状部材７０の延在方向の他方の端部に、シリンジ６２に係合するためのシリンジ用係合部７６が形成されている。
前記口金用係合部７４はその外周にＯリング７４０２やスナップリング７４０４が装着され、Ｏリング７４０２が送気送水口金５２の内周部に弾接することで水密性を保持して送気送水口金５２に連結され、また、スナップリング７４０４が送気送水口金５２の内周溝に係合することで送気送水口金５２に対して位置決めされると共に着脱可能に連結されるように構成されている。
【００１１】
本実施の形態に係る内視鏡洗浄用アダプタ６０を用いて内視鏡２を洗浄する場合、まず、鉗子挿入口１０を鉗子栓４８により閉塞し、送気送水用シリンダ１２と吸引用シリンダ１４をシリンダ栓５０により閉塞しておく。
次に、ライトガイドケーブル８の端部において、吸引口金５４に可撓性チューブ７２の端部を装着し、筒状部材７０の口金用係合部７４を送気送水口金５２に係合させ、シリンジ用係合部７６にシリンジ６２の先端を係合し、シリンジ６２の操作により洗浄液を筒状部材７０内に供給する。
図１から明らかなように、シリンジ７２の洗浄液の出る方向と、第１洗浄液供給路６４及び第２洗浄液供給路６６とは同一直線上にある。
これにより洗浄液は、第１洗浄液供給路６４から第２洗浄液供給路６６へ、同時に、第１洗浄液供給路６４から前記第３洗浄液供給路６８へ流動する。
【００１２】
そして、洗浄液は、送気送水口金５２から送気管４２、送水管４４、送気送水用シリンダ１２、送気管路１８、送水管路２０、合流管３０、３４を経て挿入部６の先端から排出される。
また、同時に洗浄液は、吸引口金５４から吸引管４６、吸引用シリンダ１４、吸引管路２２、合流管２６、３４を経て挿入部６の先端から排出される。
そして、送気管４２、送水管４４、吸引管４６に同時に洗浄液が流されるので、合流箇所３２から合流管２６方向への逆流や、合流箇所３２から合流管３０方向への逆流が阻止され、ライトガイドケーブル８の端部から洗浄液が排出されることはなく、内視鏡２の内部の管路類の清掃が簡単に効率良くなされる。
また、合流管２６から合流管３０への逆流が阻止されるので、吸引管路２２及び吸引管４６並びに吸引用シリンダ１４内の汚物が、送気管路１８や送水管路２０、送気送水用シリンダ１２、送気管４２、送水管４４に逆流せず、吸引管路２２や吸引用シリンダ１４、吸引管４６内の汚物が、汚物が通らない送気管路１８や送水管路２０、送気送水用シリンダ１２、送気管４２、送水管４４に侵入するといった不具合が解消される。
【００１４】
【発明の効果】
以上の説明で明らかなように本発明の内視鏡洗浄用アダプタは、操作部と、操作部の先部に連結された挿入部と、操作部の基部に連結されたライトガイドケーブルと、操作部内に設けられた送気送水用シリンダと、操作部内に設けられた吸引用シリンダと、操作部内において前記送気送水用シリンダから挿入部側に延在する送気管路及び送水管路と、操作部内において前記吸引用シリンダから挿入部側に延在する吸引管路と、ライトガイドケーブル内を延在し前記送気送水用シリンダに連結される送気管及び送水管と、ライトガイドケーブル内を延在し前記吸引用シリンダに連結される吸引管とを備え、前記吸引管の管径は前記送気管の管径及び前記送水管の管径より大きく、前記送気管路及び送水管路並びに吸引管路は操作部内において合流して単一の合流管とされ、この合流管が挿入部中を延在する内視鏡の洗浄用アダプタであって、前記送気管及び送水管の口金部に着脱可能に取付けられる筒状に所定の長さ延在する筒状部材と、前記筒状部材の延在方向の中間部から突設された可撓性チューブとを備え、前記筒状部材の内部通路により、洗浄液供給手段に連結される第１洗浄液供給路と、前記ライトガイドケーブルの端部に設けられた前記送気管及び送水管の前記口金部と前記第１洗浄液供給路を接続する第２洗浄液供給路とが形成されており、前記可撓性チューブの内部により、前記ライトガイドケーブルの端部に設けられた前記吸引管の口金部と第１洗浄液供給路を接続する第３洗浄液供給路が形成されており、前記内部通路は、前記筒状部材の延在方向に直線上に形成され、これにより前記第１洗浄液供給路と第２洗浄液供給路が同一直線上に形成されており、前記筒状部材が延在する方向で第２洗浄液供給路が開口する側の端部は、前記ライトガイドケーブルの端部に設けられた前記送気管及び送水管の口金部に着脱可能に結合されるようにしてあり、前記筒状部材の端部には、前記洗浄液供給手段に係合するための係合部が形成されており、該係合部に係合した前記洗浄液供給手段から洗浄液が流出する方向と、前記第１洗浄液供給路及び前記第２洗浄液供給路とは同一直線上にあり、前記第３洗浄液供給路は前記第１洗浄液供給路から枝分かれしている構成とした。そのため、本発明の内視鏡洗浄用アダプタを用いれば、洗浄の際に、手元側に洗浄液が逆流して溢れ出ることがなく、洗浄が簡単に行なえ、また、吸引管路や吸引用シリンダ、吸引管内の汚物が送気管や送水管内に侵入することがなくなる。
【図面の簡単な説明】
【図１】洗浄時における内視鏡洗浄用アダプタ及び内視鏡の概略断面図である。
【図２】内視鏡洗浄用アダプタ部分の拡大断面図である。
【符号の説明】
２  内視鏡
４  操作部
６  挿入部
８  ライトガイドケーブル
１２  送気送水用シリンダ
１４  吸引用シリンダ
１８  送気管路
２０  送水管路
２２  吸引管路
３２  合流箇所
３４  合流管
４２  送気管
４４  送水管
４６  吸引管
５２  送気送水口金
５４  吸引口金
６０  内視鏡洗浄用アダプタ
６４  第１洗浄液供給路
６６  第２洗浄液供給路
６８  第３洗浄液供給路
７０  筒状部材
７２  可撓性チューブ
【図１】
0004206139.tif 000002
【図２】
0004206139.tif 000003